(57)【要約】      （修正有）【課題】フィルムをフレームに貼り付ける時の緩みとしわの問題を解決する。【解決手段】固定部材１及び駆動部材２を含み、固定部材は第１の固定ブロック１１及び第２の固定ブロック１２を含み、第１の固定ブロックと第２の固定ブロックは対向して設置されると共に、それぞれフレームの２つのサイドフレームを固定接続するために用いられ、駆動部材は前記第１の固定ブロック及び／又は第２の固定ブロックに接続されて、第１の固定ブロック及び／又は第２の固定ブロックを移動させるように駆動することにより、フレームを圧縮するフレーム圧縮装置及びフィルム延伸方法に関する。本発明は、フレームに一定の凹面を形成した後にフィルム貼付を行う。貼付を完了した後、フレームは圧縮されていない平面状態に戻ると、フィルムの両端を延伸することにより、フィルムの全面を平坦化して、フィルムが引っ張り状態になる。【選択図】図１
2019098507.tif 000002
【特許請求の範囲】
【請求項１】
固定部材及び駆動部材を含み、前記固定部材は第１の固定ブロック及び第２の固定ブロックを含み、前記第１の固定ブロックと前記第２の固定ブロックは対向して設置されると共に、それぞれフレームの２つのサイドフレームを固定接続するために用いられ、前記駆動部材は前記第１の固定ブロック及び／又は前記第２の固定ブロックに接続されて、前記第１の固定ブロック及び／又は前記第２の固定ブロックを移動させるように駆動することにより、前記フレームを圧縮することを特徴とするフレーム圧縮装置。
【請求項２】
阻止部材をさらに含み、前記阻止部材が前記フレームの固定されていない位置に設置されることを特徴とする請求項１に記載のフレーム圧縮装置。
【請求項３】
前記阻止部材は阻止シート及び阻止シートドライバを含み、前記阻止シートドライバは前記阻止シートに接続されて、前記阻止シートと前記フレームとの接触を制御することを特徴とする請求項２に記載のフレーム圧縮装置。
【請求項４】
前記駆動部材はドライバ及びガイドレールを含み、前記ガイドレールは前記フレームの圧縮方向に沿って設置され、前記第１の固定ブロック及び／又は前記第２の固定ブロックは前記ガイドレールに設置され、前記ドライバは第１の固定ブロック及び／又は前記第２の固定ブロックに接続されて、第１の固定ブロックと前記第２の固定ブロックを前記ガイドレールに沿って互いに相手の方向に向かって移動させるように駆動することを特徴とする請求項１に記載のフレーム圧縮装置。
【請求項５】
前記ドライバは圧縮シリンダであることを特徴とする請求項４に記載のフレーム圧縮装置。
【請求項６】
ダンパーをさらに含み、かつ前記第１の固定ブロック及び／又は前記第２の固定ブロックに前記フレームの圧縮方向と逆方向の緩衝力を加えることを特徴とする請求項３に記載のフレーム圧縮装置。
【請求項７】
取付板をさらに含み、前記駆動部材と前記阻止シートドライバはいずれも前記取付板に固定され、前記ダンパーは連結部材により前記取付板に固定されることを特徴とする請求項６に記載のフレーム圧縮装置。
【請求項８】
前記第１の固定ブロックと前記第２の固定ブロックにいずれも真空吸着孔が設置され、かつそれぞれ前記フレームの２つのサイドフレームの下面を吸着することを特徴とする請求項１に記載のフレーム圧縮装置。
【請求項９】
真空発生装置をさらに含み、前記真空発生装置は前記真空吸着孔により前記フレームを前記第１の固定ブロックと前記第２の固定ブロックに固定することを特徴とする請求項２に記載のフレーム圧縮装置。
【請求項１０】
前記第１の固定ブロックと前記第２の固定ブロックにそれぞれ２つの位置決めピンが設置され、２つの前記位置決めピンの間の距離が、それらによって固定された前記フレームのサイドフレームの長さであることを特徴とする請求項１〜９のいずれか一項に記載のフレーム圧縮装置。
【請求項１１】
制御素子をさらに含み、前記制御素子はセンサ及びコントローラを含み、前記センサは前記フレームの圧縮程度を検出すると共に、検出信号を前記コントローラに伝送するために用いられ、前記コントローラは前記駆動部材に接続されて、前記検出信号に基づいて、前記駆動部材によって駆動された前記第１の固定ブロック及び／又は前記第２の固定ブロックの移動距離を制御することを特徴とする請求項９に記載のフレーム圧縮装置。
【請求項１２】
フレームの２つのサイドフレームをそれぞれ対向して設置された第１の固定ブロックと第２の固定ブロックに固定するステップＳ１と、
駆動部材を起動して、第１の固定ブロックと第２の固定ブロックを互いに相手の方向に向かって移動させるように駆動するか、又は第２の固定ブロックを第１の固定ブロックに近接する方向に沿って移動させるように駆動することにより、フレームを曲げるステップＳ２と、
フィルムをフレームの上方に送ると共に、それをフレームの固定された２つのサイドフレームに貼り付けるステップＳ３と、
駆動部材を起動して、フレームが水平状態に戻るまで、第１の固定ブロックと第２の固定ブロックを反対方向に移動させるように駆動するか、又は第２の固定ブロックを第１の固定ブロックから離れる方向に沿って移動させるように駆動するステップＳ４とを含むことを特徴とするフィルム延伸方法。
【請求項１３】
ステップＳ１とステップＳ２の間に、
阻止部材を起動して、フレームの上向きの突出を阻止することにより、フレームが圧縮過程において凹んだ状態を形成するステップＳ１２１をさらに含み、
ステップＳ２とステップＳ３の間に、
阻止部材を起動して、阻止部材がフレームから離れるステップＳ２３１をさらに含むことを特徴とする請求項１２に記載のフィルム延伸方法。
【発明の詳細な説明】
【技術分野】
【０００１】
本発明は、太陽電池の技術分野に関し、特にフレーム圧縮装置及びフィルム延伸方法に関するものである。
【背景技術】
【０００２】
太陽電池の製造プロセス過程において、フィルムをフレームに貼り付けて輸送及び後続の処理を行う必要があり、フレームが樹脂材質であり、それ自身がある程度の強度及び弾性を有し、フレームの両辺に２つのガムテープが粘着され、中間が透かし彫り状態である。現在、該分野のフィルムをフレームに貼り付ける前に、フレームを正確に位置決めせず、かつ圧縮しない。貼付後のフィルムの全面はフレームで緩み状態にあり、深刻な場合にしわが出て、後続の加工製造に影響を与える。
【発明の概要】
【発明が解決しようとする課題】
【０００３】
（一）解決しようとする技術的問題
本発明が解決しようとする技術的問題は、従来のフィルムがフレームに貼付後に、フレームで緩み状態にあり、しわが出やすいという問題を解決することである。
【課題を解決するための手段】
【０００４】
（二）技術手段
上記技術的問題を解決するために、本発明は、固定部材及び駆動部材を含み、前記固定部材は第１の固定ブロック及び第２の固定ブロックを含み、前記第１の固定ブロックと前記第２の固定ブロックは対向して設置されると共に、それぞれフレームの２つのサイドフレームを固定接続するために用いられ、前記駆動部材は前記第１の固定ブロック及び／又は前記第２の固定ブロックに接続されて、前記第１の固定ブロック及び／又は前記第２の固定ブロックを移動させるように駆動することにより、前記フレームを圧縮するフレーム圧縮装置を提供する。
【０００５】
阻止部材をさらに含み、前記阻止部材は前記フレームの固定されていない位置に設置される。
【０００６】
前記阻止部材は阻止シート及び阻止シートドライバを含み、前記阻止シートドライバは前記阻止シートに接続されて、前記阻止シートと前記フレームとの接触を制御する。
【０００７】
前記駆動部材はドライバ及びガイドレールを含み、前記ガイドレールは前記フレームの圧縮方向に沿って設置され、前記第１の固定ブロック及び／又は前記第２の固定ブロックは前記ガイドレールに設置され、前記ドライバは前記第１の固定ブロック及び／又は前記第２の固定ブロックに接続されて、前記第１の固定ブロックと前記第２の固定ブロックを前記ガイドレールに沿って互いに相手の方向に向かって移動させるように駆動する。
【０００８】
前記ドライバは圧縮シリンダであり、前記第１の固定ブロックと前記第２の固定ブロックの間に位置する。
【０００９】
ダンパーをさらに含み、前記ダンパーは前記第１の固定ブロックと前記第２の固定ブロックの間に設置されると共に、前記第１の固定ブロック及び／又は前記第２の固定ブロックに前記フレームの圧縮方向と逆方向の緩衝力を加える。
【００１０】
取付板をさらに含み、前記駆動部材と前記阻止シートドライバはいずれも前記取付板に固定され、前記ダンパーは連結部材により前記取付板に固定される。
【００１１】
前記第１の固定ブロックと前記第２の固定ブロックにいずれも真空吸着孔が設置され、かつそれぞれ前記フレームの２つのサイドフレームの下面を吸着する。
【００１２】
真空発生装置をさらに含み、前記真空発生装置は前記真空吸着孔により前記フレームを前記第１の固定ブロックと前記第２の固定ブロックに固定する。
【００１３】
前記第１の固定ブロックと前記第２の固定ブロックにそれぞれ２つの位置決めピンが設置され、２つの前記位置決めピンの間の距離が、それらによって固定された前記フレームのサイドフレームの長さである。
【００１４】
制御素子をさらに含み、前記制御素子はセンサ及びコントローラを含み、前記センサは前記フレームの圧縮程度を検出すると共に、検出信号を前記コントローラに伝送するために用いられ、前記コントローラは前記駆動部材に接続されて、前記検出信号に基づいて、前記駆動部材によって駆動された前記第１の固定ブロック及び／又は前記第２の固定ブロックの移動距離を制御する。
【００１５】
本発明は、フレームの２つのサイドフレームをそれぞれ対向して設置された第１の固定ブロックと第２の固定ブロックに固定するステップＳ１と、
駆動部材を起動して、第１の固定ブロックと第２の固定ブロックを互いに相手の方向に向かって移動させるように駆動するか、又は第２の固定ブロックを第１の固定ブロックに近接する方向に沿って移動させるように駆動することにより、フレームを曲げるステップＳ２と、
フィルムをフレームの上方に送ると共に、それをフレームの固定された２つのサイドフレームに貼り付けるステップＳ３と、
駆動部材を起動して、フレームが水平状態に戻るまで、第１の固定ブロックと第２の固定ブロックを反対方向に移動させるように駆動するか、又は第２の固定ブロックを第１の固定ブロックから離れる方向に沿って移動させるように駆動するステップＳ４とを含むフィルム延伸方法をさらに提供する。
【００１６】
ステップＳ２とステップＳ３の間に、
阻止部材を起動して、フレームの上向きの突出を阻止することにより、フレームが圧縮過程において凹んだ状態を形成するステップＳ１２１を含み、
ステップＳ２とステップＳ３の間に、
阻止部材を起動して、阻止部材がフレームから離れるステップＳ２３１をさらに含む。
【発明の効果】
【００１７】
（三）有益な効果
本発明の上記技術手段は、以下の利点を有する。本発明のフレーム圧縮装置及びフィルム貼付方法は、フィルムとフレームの貼付用プラットホーム及び方法であり、フィルムを貼り付ける前に、固定部材の第１の固定ブロックと第２の固定ブロックはフレームのガムテープ付きの２つのサイドフレームを位置決めすると共に、駆動部材により第１の固定ブロックと第２の固定ブロックを同時に移動させるように駆動するか、又は第１の固定ブロック又は第２の固定ブロックを単独に移動させるように駆動することにより、第１の固定ブロックと第２の固定ブロックは互いに近接して移動して、フレームのガムテープがない２つのサイドフレームを圧縮することにより、フレームが一定の凹面を形成した後に、フィルムを貼り付ける。貼付を完了した後、圧縮を解除し、フレームは圧縮されていない平面状態に戻る。フレームは圧縮状態から圧縮されていない状態に戻ると、フィルムの両端を延伸することにより、フィルムの全面を平坦化して、しわが付かなく、フィルムが引っ張り状態になる。本発明は、フレーム自身が一定の弾性変形能力を有するという特性を用いて、フレームに力を加えてそれを曲げ、フィルムを貼り付けた後、フレーム自身が平坦化に戻る力によりフィルムを延伸することにより、従来のフィルムをフレームに貼り付ける時の緩みとしわの問題を解決する。
【図面の簡単な説明】
【００１８】
【図１】本発明の実施例のフレーム圧縮装置の構造概略図である。
【図２】本発明の実施例のフレーム圧縮装置のフレーム圧縮時の構造概略図である。
【図３】本発明の実施例のフレーム圧縮装置のフレーム圧縮時の上面図である。
【図４】本発明の実施例のフレーム圧縮装置のフレーム圧縮後とフィルム貼付時の概略図である。
【発明を実施するための形態】
【００１９】
上述した本発明の解決しようとする技術的問題、技術手段を構成した技術的特徴、及びこれらの技術手段の技術的特徴の利点以外、本発明の他の技術的特徴及びこれらの技術的特徴の利点は、図面を参照しながらさらに説明する。
【００２０】
本発明の実施例の目的、技術手段及び利点をより明確にするために、以下、本発明の実施例の図面を参照しながら、本発明の実施例の技術手段を明確かつ完全に説明し、明らかに、説明される実施例は、本発明の一部の実施例に過ぎず、全ての実施例ではない。本発明の実施例に基づいて、当業者が創造的な労働をしない前提で取得した全ての他の実施例は、いずれも本発明の保護範囲に属する。
【００２１】
本発明の説明において、説明すべきことは、別に明確な規定及び限定を有しない限り、用語「取付」、「連結」、「接続」を広義に理解すべきであり、例えば、固定接続であっても、着脱可能な接続であっても、一体的な接続であってもよく、機械的接続であっても、電気的接続であってもよく、直接接続であっても、中間媒体による間接的接続であっても、２つの素子内部の連通であってもよい。当業者にとって、具体的な状況に基づいて上記用語の本発明での具体的な意味を理解することができる。
【００２２】
また、本発明の説明において、別に記載されない限り、「複数」、「複数本」、「複数グループ」の意味は２つ又は２つ以上であり、「いくつか」、「いくつの本」「いくつのグループ」の意味は１つ又は１つ以上である。
【００２３】
図１、図２、図３及び図４に示すように、本発明の実施例に係るフレーム圧縮装置は、固定部材１及び駆動部材２を含み、固定部材１は第１の固定ブロック１１及び第２の固定ブロック１２を含み、第１の固定ブロック１１と第２の固定ブロック１２は対向して設置されると共に、それぞれフレーム８の２つのサイドフレームを固定接続するために用いられ、駆動部材２は第１の固定ブロック１１及び／又は第２の固定ブロック１２に接続されて、第１の固定ブロック１１及び／又は第２の固定ブロック１２を移動させるように駆動することにより、フレームを圧縮する。
【００２４】
本発明のフレーム圧縮装置は、フィルム９とフレーム８の貼付用プラットホームであり、フィルム９を貼り付ける前に、固定部材１の第１の固定ブロック１１と第２の固定ブロック１２は、フレーム８のガムテープ８１付きの２つのサイドフレームを位置決めすると共に、駆動部材２により第１の固定ブロック１１と第２の固定ブロック１２を同時に移動させるように駆動するか、又は第１の固定ブロック１１又は第２の固定ブロック１２を単独に移動させるように駆動することにより、第１の固定ブロック１１と第２の固定ブロック１２は互いに近接して移動して、フレーム８の固定されていない２つのサイドフレームを圧縮することにより、フレーム８が一定の凹面を形成した後に、フィルム９を貼り付ける。貼付を完了した後、圧縮を解除し、フレーム８は圧縮されていない平面状態に戻る。フレーム８は圧縮状態から圧縮されていない状態に戻ると、フィルム９の両端を延伸することにより、フィルム９の全面を平坦化して、しわが付かなく、フィルム９が引っ張り状態になる。本発明は、フレーム８自身が一定の弾性変形能力を有するという特性を用いて、フレーム８に力を加えてそれを曲げ、フィルム９を貼り付けた後、フレーム８自身が平坦化に戻る力により、フィルム９を延伸することにより、従来のフィルム９をフレーム８に貼り付ける時の緩みとしわの問題を解決する。
【００２５】
本発明のフレーム圧縮装置は、阻止部材４をさらに含み、阻止部材４はフレーム８の固定されていない位置に設置される。具体的には、フレーム８の固定を完了した後、阻止部材４は、固定部材１によって固定されていないフレーム上のサイドフレームに置かれて、圧縮過程においてフレーム８に力を加えて、フレーム８が固定されるフィルムの方向に突出して曲がることを防止する。阻止部材４は伸縮部材を選択してもよいし、反転係合部材を選択してもよい。本発明の実施例において、阻止部材は一つのサイドフレームに設置されてもよいし、対向する２つのサイドフレームに対称に設置されてもよく、２つのサイドフレームの曲がり方向が異なることを回避する。本実施例において、阻止部材４は、阻止シート４１及び阻止シートドライバ４２を含み、阻止シートドライバ４２の伸縮ロッドは阻止シート４１に接続されて、阻止シート４１とフレーム８との接触を制御する。本実施例において、伸縮ロッドを阻止部材４として選択し、阻止部材４は、フレームの固定されていないサイドフレーム側の外端部に設置され、阻止シートドライバ４２の伸縮ロッドが阻止シート４１に接続され、阻止シートドライバ４２の伸縮ロッドが伸縮すると、阻止シート４１を移動させるように駆動し、阻止シート４１はフレーム８の圧縮時に、フレーム８が上向きに突出することを阻止し、フレーム８が凹んだ状態を形成することを保証することができる。本実施例の阻止シートドライバ４２は、伸縮シリンダのような素子を選択してもよく、フレーム８の一側に設置される場合、シリンダの伸縮ロッドは水平に移動し、伸び出すときに、阻止シート４１はフレーム８の上面まで水平に移動してそれと接触し、後退するときに、阻止シート４１は水平に移動してフレーム８の上面から離れ、フレーム８の上方に設置されてもよく、シリンダの伸縮ロッドは垂直に移動し、伸び出すときに、阻止シート４１はフレーム８の上面まで垂直に下降移動してそれと接触し、後退するときに、阻止シート４１は垂直に上昇移動してフレーム８の上面から離れる。
【００２６】
さらに、駆動部材２は、ドライバ２１及びガイドレール２２を含み、ガイドレール２２はフレームの圧縮方向に沿って設置され、第２の固定ブロック１２はガイドレール２２に設置され、ドライバ２１は第２の固定ブロック１２に接続されて、第２の固定ブロック１２をガイドレールに沿って第１の固定ブロック１１に向かって移動させるように駆動する。第２の固定ブロック１２の底部はボルトによりスライドブロックに接続され、スライドブロックはガイドレール２２に設置されると共に、ガイドレール２２に沿って直線摺動することにより、第２の固定ブロック１２の移動を実現する。ドライバ２１は、シリンダ押動又はねじナット等のような直線往復を実現できる駆動素子を選択してもよい。本発明の他の実施例において、第１の固定ブロック１１と第２の固定ブロック１２にいずれもガイドレール２２が取付けられ、ドライバ２１は別個又は同時に第１の固定ブロック１１と第２の固定ブロック１２を制御して、第１の固定ブロック１１と第２の固定ブロック１２を互いに相手の方向に向かって移動させるように押動してもよい。
【００２７】
本実施例の選択するドライバ２１は圧縮シリンダであり、第１の固定ブロック１１と第２の固定ブロック１２の間に位置すると共に、第２の固定ブロック１２に接続される。本実施例において、フレーム８を置く前に、装置のドライバ２１の伸縮ロッドが伸出状態にあり、阻止シートドライバ４２が後退状態にある。
【００２８】
本発明のフレーム圧縮装置は、ダンパー５をさらに含み、ダンパー５は第１の固定ブロック１１と第２の固定ブロック１２の間に設置されると共に、第２の固定ブロック１２にフレーム８の圧縮方向と逆方向の緩衝力を加える。ダンパー５は、第１の固定ブロック１１と第２の固定ブロック１２が互いに相手の方向に向かって移動するときに緩衝作用を果たし、第２の固定ブロック１２が低速で安定して移動することを保証し、ドライバ２１の瞬時駆動によるフレーム８の過大負荷を引き起こして断裂し破損することを回避する。本発明の他の実施例において、第１の固定ブロック１１と第２の固定ブロック１２にいずれもダンパー５が取付けられてもよく、別個又は同時に第１の固定ブロック１１と第２の固定ブロック１２の近接移動速度を制御することができる。
【００２９】
本発明のフレーム圧縮装置は、取付板６をさらに含み、駆動部材２と阻止シートドライバ４２はいずれも取付板６に固定され、ダンパー５は連結部材６１により取付板６に固定される。ガイドレール２２と取付板６はボルトにより接続固定され、ドライバ２１とガイドレール２２及び取付板６はいずれもボルトにより接続固定され、ダンパー５の外部に連結部材６１が嵌着され、連結部材６１と取付板６はボルトにより接続固定され、阻止シートドライバ４２と取付板６はボルトにより接続固定され、ボルト接続は容易に着脱される。
【００３０】
第１の固定ブロック１１と前記第２の固定ブロック１２にいずれも真空吸着孔３が設置され、かつそれぞれフレーム８の２つのサイドフレームの下面を吸着する。フレーム８は、貼付、圧着、吸着等の方式で第１の固定ブロック１１と第２の固定ブロック１２に固定され、本実施例では、フレーム８のガムテープ８１付きの表面は上向きに設置されるため、フィルム９を直接フレーム８の上方に送って貼り付けることに役立ち、圧着方式は貼り付けにくいため、吸着方式を選択し、第１の固定ブロック１１と第２の固定ブロック１２は一定数量の真空吸着孔３を備え、垂直方向に真空吸着力を提供してフレーム８のガムテープ８１付きのサイドフレームの底面を吸着するために用いられる。
【００３１】
本発明のフレーム圧縮装置は、真空発生装置をさらに含み、真空発生装置は真空吸着孔３によりフレーム８を第１の固定ブロック１１と第２の固定ブロック１２に固定する。第１の固定ブロック１１と第２の固定ブロック１２が真空吸着力を発生することは、いずれも真空発生装置によって実現される。
【００３２】
第１の固定ブロック１１と第２の固定ブロック１２にそれぞれ２つの位置決めピン７が設置され、２つの位置決めピン７の間の距離がそれらによって固定されたフレーム８のサイドフレームの長さである。第１の固定ブロック１１と第２の固定ブロック１２にそれぞれ２つの位置決めピン７が設置され、フレーム８の両辺を位置決めすることができる。
【００３３】
本発明のフレーム圧縮装置は、制御素子をさらに含み、制御素子はセンサ及びコントローラを含み、センサはフレーム８の圧縮程度を検出すると共に、検出信号をコントローラに伝送するために用いられ、コントローラは駆動部材２に接続されて、検出信号に基づいて、駆動部材２によって駆動された第１の固定ブロック１１及び／又は第２の固定ブロック１２の移動距離を制御する。コントローラはセンサによって検出されたフレーム８の圧縮情報を取得することにより、駆動部材２の起動停止の動作を制御し、フレーム８の圧縮程度を一致させることを保証し、フレーム８が過度の圧縮により断裂して破損することを防止する。
【００３４】
本発明の実施例は、フレーム８の２つのサイドフレームをそれぞれ対向して設置された第１の固定ブロック１１と第２の固定ブロック１２に固定するステップＳ１と、
駆動部材２を起動して、第１の固定ブロック１１と第２の固定ブロック１２を互いに相手の方向に向かって移動させるように駆動するか、又は第２の固定ブロック１２を第１の固定ブロック１１に近接する方向に沿って移動させるように駆動することにより、フレーム８を曲げるステップＳ２と、
フィルム９をフレーム８の上方に送ると共に、それをフレーム８の固定された２つのサイドフレームに貼り付けるステップＳ３と、
駆動部材２を起動して、フレーム８が水平状態に戻るまで、第１の固定ブロック１１と第２の固定ブロック１２を反対方向に移動させるように駆動するか、又は第２の固定ブロック１２を第１の固定ブロック１１から離れる方向に沿って移動させるように駆動するステップＳ４とを含み、上記フレーム圧縮装置を用いるフィルム延伸方法をさらに提供する。
【００３５】
本発明のフィルム延伸方法は、フィルムとフレームの延伸用方法であり、フィルム９を貼り付ける前に、まず第１の固定ブロック１１と第２の固定ブロック１２によりフレーム８のガムテープ８１付きの２つのサイドフレームを位置決めし、駆動部材２により第１の固定ブロック１１と第２の固定ブロック１２を同時に移動させるように駆動するか、又は第１の固定ブロック１１又は第２の固定ブロック１２を単独に移動させるように駆動することにより、第１の固定ブロック１１と第２の固定ブロック１２は互いに近接して移動して、フレーム８のガムテープ８１がない２つのサイドフレームを圧縮することにより、フレーム８が一定の凹面を形成した後に、フィルム９を貼り付ける。貼付を完了した後、圧縮を解除し、フレーム８は圧縮されていない平面状態に戻る。フレーム８は圧縮状態から圧縮されていない状態に戻ると、フィルム９の両端を延伸することにより、フィルム９の全面を平坦化して、しわが付かなく、フィルム９が引っ張り状態になる。本発明は、フレーム８自身が一定の弾性変形能力を有するという特性を用いて、フレームに力を加えてそれを曲げ、フィルム９を貼り付けた後、フレーム８自身が平坦化に戻る力によりフィルム９を延伸することにより、従来のフィルム９をフレームに貼り付ける時の緩みとしわの問題を解決する。
【００３６】
フレーム８が圧縮過程において下向きに変形して曲がり、上向きに突出しないことを保証するために、ステップＳ１とＳ２の間に、
阻止部材４を起動して、フレーム８の上向きの突出を阻止することにより、フレーム８が圧縮過程において凹んだ状態を形成するステップＳ１２１を含み、
フレーム８が下向きに凹んで曲がった後、フィルム９を貼り付ける前にフレーム８に障害物がなく、フレーム８と容易に貼り付けることを保証するために、ステップＳ２とＳ３の間に、
阻止部材４を起動して、阻止部材４がフレーム８から離れるステップＳ２３１をさらに含む。
【００３７】
要約すると、本発明のフレーム圧縮装置及びフィルム貼付方法は、フィルムとフレームの貼付用プラットホーム及び方法であり、フィルムを貼り付ける前に、固定部材の第１の固定ブロックと第２の固定ブロックはフレームのガムテープ付きの２つのサイドフレームを位置決めすると共に、駆動部材により第１の固定ブロックと第２の固定ブロックを同時に移動させるように駆動するか、又は第１の固定ブロック又は第２の固定ブロックを単独に移動させるように駆動することにより、第１の固定ブロックと第２の固定ブロックは互いに近接して移動して、フレームのガムテープがない２つのサイドフレームを圧縮することにより、フレームが一定の凹面を形成した後に、フィルムを貼り付ける。貼付を完了した後、フレームは圧縮されていない平面状態に戻る。フレームは圧縮状態から圧縮されていない状態に戻ると、フィルムの両端を延伸することにより、フィルムの全面を平坦化して、しわが付かなく、フィルムが引っ張り状態になる。本発明は、フレーム自身が一定の弾性変形能力を有するという特性を用いて、フレームに力を加えてそれを曲げ、フィルムを貼り付けた後、フレーム自身が平坦化に戻る力によりフィルムを延伸することにより、従来のフィルムをフレームに貼り付ける時の緩みとしわの問題を解決する。
【００３８】
最後に説明すべきことは、以上の実施例は、本発明の技術手段を説明するものに過ぎず、それを限定するものではなく、前述の実施例を参照しながら本発明を詳細に説明したが、当業者にとっては、依然として前述の各実施例に記載の技術手段を修正するか、又はその中の一部の技術的特徴に同等置換を行うことができることを理解し、これらの修正又は置換により、対応する技術手段の本質は、本発明の各実施例の技術手段の主旨及び範囲から逸脱することにならない。
【符号の説明】
【００３９】
１  固定部材、２  駆動部材、３  真空吸着孔、４  阻止部材、５  ダンパー、６  取付板、７  位置決めピン、８  フレーム、９  フィルム、１１  第１の固定ブロック、１２  第２の固定ブロック、２１  ドライバ、２２  ガイドレール、４１  阻止シート、４２  阻止シートドライバ、６１  連結部材、８１  ガムテープ。
【図１】
2019098507.tif 000003
【図２】
2019098507.tif 000004
【図３】
2019098507.tif 000005
【図４】
2019098507.tif 000006